Podtech/llm-jp-corpus-v4-ja_patent huggingface dataset:
(57)【特許請求の範囲】
【請求項１】
上部材（１６）にボルト孔（１７）を穿孔するとき、錐部（２３）と環状角溝切削部（２４）を合体した切削工具（２２）を使用して切削することにより、同時にボルト孔と環状角溝（１８）を加工し、この上部材の上に歯付座金（５）を載せて、その上より頭付ボルト（１）又はナット（１３）を強くねじ込んで歯付座金の下面の数個の突起（６）を押下げて、その突起の側面切刃（７）を環状角溝の内側及び外側の壁面（１９）に喰い込ませることにより、歯付座金を上部材に回転不可能に結合させた後、歯付座金の外歯（１０）を頭付ボルトの頭部鍔（３）の切溝（４）、又はナットの下部鍔（１４）の切溝（１５）に折曲げて噛合せて、それらの回転を阻止するようにした頭付ボルト又はナットの緩み止めの方法。
【発明の詳細な説明】
【技術分野】
【０００１】  本発明は強い締付力を必要とする頭付ボルト又はナットの緩み止めを行う方法である。
【背景技術】
【０００２】  頭付ボルト又はナットの緩み止めの方法としては座金を上部材に固定し、この座金の外歯を折り曲げてボルトの頭及びナットの回転を阻止することは有効である、然しこの座金を上部材に固定するため、別工程で錐孔等の加工を必要とし、作業工程を遅らせるため、一般的には実施されていない。
【発明の開示】
【発明が解決しようとする課題】
【０００３】  本発明は座金を上部材に固定する方法として、ボルト孔の穿孔と同時に上部材に環状角溝を切削加工し、この溝を用いて確実に座金を上部材に結合させて、この座金により頭付ボルト又はナットの緩み止めを行うものである。
【課題を解決するための手段】
【０００４】  上部材１６にボルト孔１７を穿孔するとき、錐部２３と環状角溝切削部２４を合体した切削工具２２を使用して切削することにより、同時にボルト孔と環状角溝１８を加工し、この上部材の上に歯付座金５を載せて、その上より頭付ボルト１又はナット１３を強くねじ込んで歯付座金の下面の数個の突起６を押下げて、その突起の側面切刃７を環状角溝の内側及び外側の壁面１９に喰い込ませることにより、歯付座金を上部材に回転不可能に結合させた後、歯付座金の外歯１０を頭付ボルトの頭部鍔３の切溝４、又はナットの下部鍔１４の切溝１５に折曲げて噛合せて、それらの回転を阻止するようにした頭付ボルト又はナットの緩み止めを行う方法である。
【発明の効果】
【０００５】  本発明の実施によりボルト孔穿孔の工程で環状角溝を同時に加工でき、これに喰い込み結合する座金により頭付ボルト及びナットの緩み止めを行うことが出来るため、モーター等大量生産する機器に、本発明の緩み止め方法を使用することにより簡単に緩み止めが可能になり、経済的な効果は大きい。
【図面の簡単な説明】
【０００６】
【図１】本発明の実施形態の一例として、緩み止め施工後の頭付ボルトの縦断面図
【図２】図１の平面図
【図３】本発明の実施形態の一例として、歯付座金の平面図
【図４】図３のＡ−Ａ断面図
【図５】本発明の実施形態の別の一例として、歯付座金の平面図
【図６】図５のＢ−Ｂ断面図
【図７】本発明の実施形態の一例として、緩み止め施工後のナットの縦断面図
【図８】図７の平面図
【図９】本発明の実施形態の一例として、錐部と環状角溝切削部を合体した切削工具の縦断面図
【発明を実施するための形態】
【０００７】  上部材１６にボルト孔１７を穿孔するとき、錐部２３と環状角溝切削部２４を合体した切削工具２２により切削することにより、同時にボルト孔と環状角溝１８を加工形成する。
【０００８】  図３及び図４の歯付座金の製作方法は、その素材の鉄板をプレス機により梯形穴に陥没させて、下面に突出した突起６を数箇所形成した後これを焼入硬化する、そして突起６の側面を研磨して切刃７を形成する、この歯付座金の突起６を環状角溝１８に落し込んで、この上より頭付ボルト１又はナット１３を強くねじ込んで押圧して、その突起の側面切刃７を環状角溝の内側及び外側の壁面１９に喰い込ませることにより、歯付座金を上部材に回転不可能に結合させる。
【０００９】  次にこの歯付座金の外歯８を頭付ボルトの頭部鍔３の切溝４、又はナットの下部鍔１４の切溝１５に折曲げて噛合せて、これらの回転を阻止することにより頭付ボルト又はナットの緩み止めを行うことができる。
【００１０】  図３及び図４に示す歯付座金の代りに図５及び図６に示すように、側面に焼入硬化した切刃９を設けた短角釘８を素材の鉄板の角孔に数個、打込んで下面に突出させて突起６を形成し、この突起を環状角溝１８に落し込んで、内側及び外側壁面１９に喰込ませる方法もある。
【符号の説明】
【００１１】  １・・・頭付ボルト                    ２・・・ボルト雄ねじ山
３・・・ボルト頭部鍔                  ４・・・ボルト頭部鍔の切溝
５・・・歯付座金                      ６・・・歯付座金下面の突起
７・・・突起の側面切歯                ８・・・歯付座金の短角釘
９・・・短角釘の側面切歯            １０・・・歯付座金の外歯
１１・・・植込みボルト                １２・・・植込みボルトの雄ねじ山
１３・・・ナット                      １４・・・ナットの下部鍔
１５・・・ナットの下部鍔の切溝        １６・・・上部材
１７・・・上部材のボルト孔            １８・・・上部材の環状角溝
１９・・・角溝の内側及び外側の壁面    ２０・・・下部材
２１・・・下部材の雌ねじ山            ２２・・・合体した切削工具
２３・・・合体切削工具の錐部          ２４・・・合体切削工具の環状角溝切削部
【要約】      （修正有）【課題】強い締付け力を必要とする頭付ボルト又はナットの緩み止めを行う方法である。【解決手段】上部材１６にボルト孔１７を穿孔するとき、錐部と環状角溝切削部を合体した切削工具により、同時にボルト孔１７と環状角溝１８を加工し、この上部材の上に歯付座金５を載せて、その上より頭付ボルト１又はナットをねじ込むことにより歯付座金５の数個の突起６の突起側面切刃７を環状角溝１８の内側及び外側の壁面１９に喰い込ませて、歯付座金５を上部材１６に結合させた後、歯付座金の外歯１０を頭付ボルトの頭部鍔３の切溝４、又はナットの下部鍔の切溝に噛合せて、それらの回転を阻止するようにした頭付ボルト又はナットの緩み止めの方法。【選択図】図１【図１】
0006052694.tif 000002
【図２】
0006052694.tif 000003
【図３】
0006052694.tif 000004
【図４】
0006052694.tif 000005
【図５】
0006052694.tif 000006
【図６】
0006052694.tif 000007
【図７】
0006052694.tif 000008
【図８】
0006052694.tif 000009
【図９】
0006052694.tif 000010
(57)【特許請求の範囲】
【請求項１】
梯子に取り付けられる補助金具であって、屋根面に梯子の巾より広く、直に設置させるために長さと角度が特定された丸パイプのアームと、前記アームの先端に接続された前後に可動する足と、梯子の段両脇柱にＵボルトと蝶ネジでたすき掛けに固定される取付部を備え、たすき掛けのＵボルトが逆ハの字状にもうけられた梯子補助金具。
【発明の詳細な説明】
【技術分野】
【０００１】  本発明は、梯子に関するものである。
【背景技術】
【０００２】  従来の梯子の使用方法では、屋根に登り降りする場合や軒樋の清掃作業の際、軒先や軒樋を破損させたり、横滑りを起こしやすく安全性にも問題があった。
【発明の概要】
【発明が解決しようとする課題】
【０００３】  従来の梯子の使用方法では、作業の際２点の足と、軒先や軒樋に立て掛けるだけで作業員の荷重を支えていた。その為、軒先や軒樋に損傷を与えたり、梯子が横滑りして、非常に危険であった。【０００４】  本発明は梯子を使用して屋根に登り降りする際の軒先や破損と横滑りを防止すると共に、作業の安全性と効率を上げ、且つ作業員の危険防止を目的とする。
【改善するための手段】
【０００５】  梯子を軒先や軒樋に立て掛ける事なく、屋根面に直に接地して、作業員の登り降りの荷重を屋根面で受け、梯子の足元の荷重負担を半減し、且つ安定させると共に従来の使用方法と異なり、軒先や軒樋に触れぬ事により軒樋の破損を防ぐ。
【０００６】  請求項１に記載の発明は、従来の梯子の使用方法では軒先や軒樋へ立て掛け、梯子本体の２点の足のみで荷重を支えていたが、屋根面に梯子の幅より広い位置にアームの先端に防滑ラバー付きの２点の足が直に接地する事により、梯子全体を吊り支えると共に梯子本体の２点の足に掛かる荷重を半減させる。
【発明の効果】
【０００８】  請求項１に記載の発明によれば、アームの巾を既存の梯子より一定の幅に広げたことは、通常の瓦の波の低い箇所で２つの足が設置され、梯子全体を吊り下げる状態が安定し、足の長さ３００ｍｍと角度１４０°は、瓦屋根の軒先から丁度２段目中央に前後に可動する足で接地し、一層安定する。
【図面の簡単な説明】
【００１０】
【図１】本発明の第一実施形態を示す梯子補助金具の正面図。
【図２】同じく、梯子補助金具の右側図面。
【図３】既存梯子に取り付ける為の梯子補助金具の取付部の右側図面。
【図４】既存梯子に取り付ける為の梯子補助金具の取付部の背図面。
【図５】梯子補助金具の防滑ラバー付足の側面図。
【図６】梯子補助金具の防滑ラバー付足の正面図。
【発明を実施するための形態】
【実施例】
【００１１】  以下、本発明を具体化した第一実施形態を図面に基づいて説明する。【００１２】  図１，図２に示すように、梯子補助金具３は、既存梯子柱１に段２を挟むように、取付部のＵボルト４を取付プレート１１に通し、蝶ネジ５を手で締めつけて取り付ける。【００１３】  梯子補助金具３は丸パイプのアームで形成され、巾７６５ｍｍは瓦の３枚分に相当し瓦の凹み部分に安定して角度ストッパー１２により防滑ラバー付き足１０が接地する。【００１４】  図２の梯子補助金具３の丸パイプのアーム３００ｍｍ７と１５０ｍｍ８は軒先や軒樋にふれない寸法であり、取付部プレート１１の両端から３００ｍｍ７は直線であるため梯子の横から屋根面に降りる際アームが邪魔をしない。補助金具の防滑ラバー付き足１０が瓦葺き及び金属板段葺仕上げの屋根では、軒先から２段目に設置する寸法である。又、７と８の角度１４０°は、梯子を７０°〜７５°に設置した時に日本の家屋に比較的多い４寸勾配から５寸勾配に防滑ラバー付き足１０が直角に近い角度となりバランスよく接地する事が出来る。【００１５】  図３、図４の取付部の取付プレート１１は、既存梯子段脇の柱と柱の間隔で丸パイプのフレームに接着されている。既存梯子への取付はＵボルト４を各１本たすき掛けに蝶ネジ５で固定する。梯子への装着が無工具にて着脱出来、時間の短縮となる。【００１６】    図５で示すように、防滑ラバー付足１０は、屋根面の滑り止めの役割を成し、図６で示す１０が屋根の勾配に適応する為前後に扇状に一定角度で可動させるため内部に角度ストッパー１２を付け、屋根面へ適度な角度で接地する構造である。
【符号の説明】
【００１７】  １  既存梯子の柱
２  既存梯子の段
３  梯子補助金具
４  Ｕボルト
５  蝶ネジ
６  ３の巾７６５ｍｍ（瓦３枚分）
７  ３の出３００ｍｍ
８  ７からの出１５０ｍｍ
９  ７と８の角度１４０°
１０  防滑ラバー付き足
１１  取付プレート
１２  角度ストッパー
【図１】
0006052627.tif 000002
【図２】
0006052627.tif 000003
【図３】
0006052627.tif 000004
【図４】
0006052627.tif 000005
【図５】
0006052627.tif 000006
【図６】
0006052627.tif 000007
(57)【特許請求の範囲】
【請求項１】
孟宗竹、和竹、笹竹等の竹材を所要の小片に破砕する破砕工程と、
前記破砕工程で破砕した前記小片の前記竹材を、加圧押出装置により少なくともその内部圧力が１５Ｋｇ／ｃｍ2以上で加圧混練する加圧混練工程と、
前記加圧混練工程で加圧混練した前記竹材を、カッターで裁断してミンチ状にして多孔なノズルより大気中に吐出する工程と
を有し、
前記工程によって、膨潤拡散して硬組織と柔組織とを解体し、細胞壁を形成するセルロース及びヘミセルロースをリグニンより解離させた解繊状の竹繊維チョップドストランドとし、
前記竹繊維チョップドストランドを、１０〜２００ミクロンの微粉末に粉砕する工程を備え、
１０〜１５ｃｍの水深で液肥栽培され、１００ｇ中に含まれるポリフェノールが４００ｍｇ以上のレンコンの節と茎とを微粉末とし、
前記レンコンの前記微粉末を主成分として、１０〜２００ミクロンの前記竹繊維チョップドストランドの前記微粉末を前記レンコンの前記微粉末に混合し、
前記レンコンの前記微粉末を、全重量比で８０％としたことを特徴とする栄養補助食品の製造方法。
【請求項２】
平均１５ミクロンとしたケールの微粉末を更に混合したことを特徴とする請求項１に記載の栄養補助食品の製造方法。
【発明の詳細な説明】
【技術分野】
【０００１】
本発明は竹微粉末に、レンコンの微粉末を混合して混合物とし、該混合物を粒状に成形した栄養補助食品の製造方法である。
【背景技術】
【０００２】
花粉症による患者人は多く、花粉症は近年の感染率代表的疾病として人々に恐れられている。
花粉症を治療するための投与薬や方法は、日進月歩の勢いで発展を遂げているが花粉症を治療する決定的な投与薬や方法はまだ確立されてないのが現状である。
【０００３】
花粉症を予防する方策として第一に生活環境中の花粉原因子を極力排除することが掲げられている。この生活環境中の花粉原因子については、食物が最も重大な関わりをもち、食物の質や栄養の過不足も、花粉症の発生に大きな影響をもつことがわかっている。
【０００４】
野菜に含まれるビタミンＡは花粉症を抑制し、ビタミンＣは体内でのニトロソアミン生成を抑え、繊維成分は便通をよくして花粉症の発生を減少させることがわかっている。
【発明の開示】
【発明が解決しようとする課題】
【０００５】
本発明はかかる事情に鑑み、ビタミン類や繊維成分を多く含んだ栄養補助食品の製造方法である。
【課題を解決するための手段】
【０００６】
本発明の栄養補助食品は、竹材を所要の小片に破砕のうえ、加圧押出装置により加圧混練し、カッターで裁断のうえ、多孔なノズルより大気中に吐出し、膨潤拡散した解繊状の竹繊維チョップドストランドを１０〜２００ミクロンの微粉末に粉砕した粉末と、レンコンの微粉末を含む。
【発明の効果】
【０００７】
請求項１〜２の栄養補助食品の製造方法には、竹由来食物繊維が多く含まれている。
また、服用しやすい形状に整えることができる。
【図面の簡単な説明】
【０００８】
【図１】栄養補助食品の製造方法を示すフローチャートである。
【発明を実施するための形態】
【０００９】
本発明の実施形態を図面に基づき説明する。図１は本実施形態の栄養補助食品の製造方法を示すフローチャートである。栄養補助食品Ａの原料は、原料の竹１Ｓおよび副原料であるが、まず、原料の竹１Ｓについて説明する。
【００１０】
孟宗竹、和竹、笹竹等の竹材を所要の小片に破砕のうえ、加圧押出装置により少なくともその内部圧力が１５Ｋｇ／ｃｍ２以上で加圧混練し、カッターでミンチ状にし、裁断のうえ、先端が多孔なノズルより大気中に吐出し、膨潤拡散して硬組織と柔組織の解体し、細胞壁を形成するセルロース及びヘミセルロースをリグニンより解離させた解繊状の竹繊維チョップドストランドを用いる。１０〜２００ミクロンの微粉末に粉砕する。
【００１１】
レンコンの原料である、節と茎の生産方法を説明する。まず、液肥栽培で栽培される水深は１０〜１５ｃｍで、光合成される細菌「藍藻」の作用が促進されポリフェノールの量が多くなる。従って、節と茎に含まれるポリフェノール量が通常レンコンの５〜６倍にもなる。
【００１２】
原料である竹１Ｓ以外の原料を説明する。まず、２Ｓであるレンコンとは、ＩｇＥ抗体や炎症物質を抑制する強い作用がある。レンコンの薬効はその豊富な栄養源に起因している。まず着目されるのはビタミンＣの含有量４８ｍｇと鉄分０．５ｍｇとムチン質及びペクチン質とタンニン質が含まれており、竹粉に含まれている乳酸菌と併せて摂取する。
【００１３】
つぎに、３Ｓの元原料であるケールの細胞の大きさは２０〜３０μｍであり、細胞壁の中に閉じ込められている栄養分である鉄分、カルシウム、β−カロチン、ビタミンＣなどが摂取しにくい状態となっている。この細胞壁を砕いて平均１５μｍの超微粉末にすることにより、これらの栄養分が効率よく摂取できることとなる。
このケールの超微粉末を３Ｓとする。
【００１４】
つぎに、本実施形態の栄養補助食品の製造方法について述べる。
まず、竹の粉末１Ｓと、レンコンの微粉末２Ｓとケールの超微粉末３Ｓを後述する混合比で混合させる。この混合物を撹拌造粒機で粒状にし、さらに錠剤成形機により圧力によって錠型に固める。これによって、本実施形態の栄養補助食品が製造される。
【００１５】
つぎに、原料の竹の粉末１Ｓと副原料のレンコンの微粉末２Ｓ、ケールの超微粉末水３Ｓの重量混合比率について説明する。表１は重量混合比率を示す。
【表１】
0006052689.tif 000002
なお、本実施形態の栄養補助食品は、錠剤以外にも服用しやすいように、粉末、顆粒、カプセル等にしてもよく、その形状に限定はない。
【００１６】
つぎに、本実施形態の栄養補助食品の効果を説明する。服用する場合、成人の場合で、１日当たり約２〜５ｇ（９〜１５粒）がよい。
この値は、成人が１日に食する平均食事量の０．４〜１％に相当する値である。
本実施形態の栄養補助食品を服用すると、消化器官の働きがよくなり、排泄便の量が増加し、この排泄便によって消化器官にアレルギー性物質が停留するのを防止する。
本実施形態の栄養補助食品の主原料が、自然に自生している竹（１Ｓ）、副原料が自然食品のレンコン（２Ｓ）、ケール（３Ｓ）である。
【００１７】
竹由来食物繊維を含む竹１Ｓには、孟宗竹を使用している。この竹１Ｓには、５６％のセルロースと２４％のリグニンとが含まれていた。
なお、竹１Ｓの１００ｇ中に含まれる成分を表２に示す。
【表２】
0006052689.tif 000003
【００１８】
レンコンの節と茎に含まれるポリフェノール（タンニンとして）の含有量を表３に示す。
【表３】
0006052689.tif 000004
【００１９】
レンコン（２Ｓ）に含まれる成分（１００ｇ中）を表４に示す。
【表４】
0006052689.tif 000005
【００２０】
ケール３ｇ当たりの成分を表５に示す。
【表５】
0006052689.tif 000006
【符号の説明】
【００２１】
１Ｓ      竹の微粉末
２Ｓ      レンコンの微粉末
３Ｓ      ケールの超微粉末
【図１】
0006052689.tif 000007
(57)【特許請求の範囲】
【請求項１】
縦長の樹脂製や金属製の薄板２枚からなり、一方を弓板、他方を抑え板とし、弓板の方が少し長く形成され、その弓板と抑え板を中央部でジョイントを挟んで貼りあわせ、夫々の薄板の両端にゴムか樹脂製のスベリ止めを装着し、弓板の一端には湾曲させる時掴むためのツマミ片を設け、抑え板の外側中央付近に磁石を設けたことを特徴とする、紙一枚ででも立てられる弓形本立て。
【発明の詳細な説明】
【技術分野】
【０００１】  本発明は、書籍やファイル等のすべりや、たわみによる形くずれができない本立てに関するものである。
【背景技術】
【０００２】  従来、ソフトカバーの書籍やファイルはキャビネット書棚にキチンと立てかけることができず、本立てを使っても形くずれを起こし、整然と収納することが難しかった。
これまでにも形くずれせず収納できる本立てがいくつか提案されてきた。
たとえば保持板を本の頁の間に挿し込み、形くずれがしないように、本を立てかけ支えあうようにした立本立ての提案がされた（特許文献１）。
【先行技術文献】
【特許文献】
【０００３】
【特許文献１】  特開２０００−１５７３５２号公報
【発明の概要】
【発明が解決しようとする課題】
【０００４】  参照文献１に示される先行技術は、複雑な構造と、本の頁の間に板を挟み込むため。本を傷める恐れがある。
簡単な構造とシンプルなデザインによる、書籍類の滑りや形くずれがなく、しかも紙一枚でも立てられる本立てはこれまで提案されたことはなかった。
本発明は以上の問題点を解決するものである。
【課題を解決するための手段】
【０００５】  縦長の樹脂製や金属製の薄板２枚からなり、一方を弓板、他方を抑え板とし、弓板の方が少し長い。
この弓板と抑え板を中央部でジョイントを挟んで貼り合わせ、夫々の薄板の両端にゴムか樹脂製のスベリ止めを装着し、弓板の一端には、湾曲させる時掴むためのツマミ片を設ける。抑え板の外側中央付近に磁石を設ける。
以上を特徴とする、紙一枚でも立てられる弓形本立てである。
【発明の効果】
【０００６】  カタログやファイルをキャビネット書棚等に立てかけても崩れて見苦しく、取り出したカタログ等も形くずれしたままの状態になってしまうが、本発明は、たとえ紙一枚でも、キチンと真っ直ぐに書棚に立てることができる。
【図面の簡単な説明】
【０００７】
【図１】  本発明の側面図
【図２】  本発明の斜視図
【図３】  本発明を書棚に取り付けている状態を示すイメージ図
【図４】  本発明を事務机の引き出しにに取り付けている状態を示すイメージ図
【発明を実施するための形態】
【０００８】  以下、本発明の実施の形態を説明する。
巾数センチ・長さ３０数センチの縦長の樹脂製や金属製の薄板２枚からなり、一方を弓板（１）、他方を抑え板（２）とし、弓板（１）が少し長く形成される。
その薄板２枚を中央部で、ジョイント（３）を挟んで貼りあわせ、弓板（１）と抑え板（２）とする。
その薄板２枚を中央部で、ジョイント（３）を挟んで貼りあわせ、弓板（１）と抑え板（２）の両端にゴムか樹脂製のスベリ止め（４）装着し、弓板（１）の上部には湾曲させる時掴むためのツマミ片（５）を設け、抑え板（２）の外側中央付近に磁石（１１）を設ける。
本発明は以上のような構成であり、これを実際に使用する時は、弓板（１）を半月状に湾曲させ、上下をキャビネット書棚の書棚天井部（６）と書棚底部（７）に突っ張らせると弓を引き絞った状態になり、湾曲のシナリによる張力で湾曲して膨らむ頂点がジョイント（３）を通して書籍（８）を抑え、抑え板（２）が書籍（８）を固定させて書籍（８）や紙一枚でもキチンと立たせ並べておくことができる。
書籍（８）が増えても減っても、収納量の増減に合わせて、弓形本立てを適時移動して対応できる。
キャビネット書棚に使用する他に、事務所机引き出し（９）にも使用する場合は、事務机引き出しの両サイド（１０）に突っ張らせ、弓形本立てを横にして利用する。
また、抑え板（２）の中央付近に磁石（１１）を装着してあるので、非使用時は書棚に非磁性材質の書棚ならば、小被磁着体材を設けておいて張り付けて収納しておけ、次に使う時にも即使用することができる。
【符号の説明】
【０００９】  １  弓板、２  抑え板、３  ジョイント、４  スベリ止め、５  ツマミ片、６  書棚天井部、７  書棚底部、８  書籍、９  事務机引き出し、１０  事務机引き出しの両サイド、１１  磁石
【要約】
【課題】通常本立てや書類棚・キャビネットにおいては、並べ立ててある本や書類がびっしり詰め立てておかない限り、崩れたり倒れたり、雑然となりやすい。
簡単な構造とシンプルなデザインによる、書籍類のスベリズレや形くずれがなく、しかも紙一枚でもしっかり立て並べおくことができる本立てを提供する。
【解決手段】縦長の樹脂製や金属製の薄板２枚からなり、一方を弓板、他方を抑え板とし、弓板の方が少し長く形成され、その弓板と抑え板を中央部でジョイントを挟んで貼りあわせ、夫々の両端にゴムか樹脂製のスベリ止めを装着し、弓板の一端には、湾曲させる時掴むためのツマミ片を設けたことを特徴とする、紙一枚でも立てられる弓形本立て。
【選択図】図３【図１】
0005860111.tif 000002
【図２】
0005860111.tif 000003
【図３】
0005860111.tif 000004
【図４】
0005860111.tif 000005
(57)【特許請求の範囲】
【請求項１】
棒体（２０）を備えた球体である錘部（１０）と、
棒体（２０）を内部に挿入可能な空洞を有する柱部（４０）を備えると共に、錘部（１０）を支えるに足りる重量、面積を有する台座部（３０）と、
により成る握力鍛錬具。
【請求項２】
柱部（４０）内部にバネ或いはクッション材である弾性体（５０）を備えた請求項１に記載の握力鍛錬具。
【請求項３】
錘部（１０）がリング体である請求項１又は請求項２に記載の握力鍛錬具。  
【請求項４】
錘部（１０）が略直方体形状である請求項１又は請求項２に記載の握力鍛錬具。
【発明の詳細な説明】
【技術分野】
【０００１】
本発明は 対象物を素早く握ることで握力の強化を図る握力鍛錬具に関するものである。
【背景技術】
【０００２】
握力を鍛える器具として、ハンドグリッパーと呼ばれる胡桃割り型の器具が一般的である。このハンドグリッパーは、グリップを握ることで手のひらや手の甲の細かい筋肉を強化し、もって握る力の強化を図るものである。
【０００３】
また、鉄アレイやダンベルを握った状態で手首を返すことで、前腕部分の筋肉を強化し、もって握った物を保持する力の強化を図ることも行われている。
【０００４】
更にはピンチ力とばれる、物をつまむ力を強化するため、ブロックウエイトと呼ばれるブロック状の物体を指で握る強化法も存在する。
【０００５】
特許文献１には左右端板の間に圧縮自在なコイルバネを介在させ、当該端板を握ることで握力の強化を図る器具が開示されている。
【０００６】
特許文献２には、弾性体から成る球体の内部に、当該球体より硬い芯体を、球体の中心をずらして装備した握力鍛錬具が開示されている。
【先行技術文献】
【特許文献】
【０００７】
【特許文献１】実開平６−１１７５６号公報
【特許文献２】特開２００９−３９１８９号公報
【発明の概要】
【発明が解決しようとする課題】
【０００８】
上記の通り握力には物を握る力、握った物を保持する力、指先で物をつまむ力といった要素があり、それぞれに鍛錬法及び使用する用具が異なるものである。
【０００９】
本考案は係る物を握る力、握った物を保持する力、指先で物をつまむ力といった握力の要素を、一つの用具で同時に強化することが可能な握力鍛錬具を提供することを目的とする。
【課題を解決するための手段】
【００１０】
上記の目的を達成する本考案の構成は以下の通りである。
【００１１】
（１) 請求項１に記載の発明は、棒体を備えた錘部と、棒体を内部に挿入可能な空洞を有する柱部を備えた台座部とにより構成した。
【００１２】
（２) 請求項２に記載の発明は、請求項１記載の握力鍛錬具において、柱部内部に弾性体を備えて構成した。
【００１３】
（３) 請求項３に記載の発明は、請求項１又は請求項２に記載の握力鍛錬具において、錘部を球体として構成した。
【００１４】
（４) 請求項４に記載の発明は、請求項１又は請求項２に記載の握力鍛錬具において、錘部をリング体として構成した。
【００１５】
（５) 請求項５に記載の発明は、請求項１又は請求項２に記載の握力鍛錬具において、錘部をブロック体として構成した。
【発明の効果】
【００１６】
上記のように構成される本発明が、如何に作用して課題を解決するかを図面を参照しながら概説する。
【００１７】
本発明にかかる握力鍛錬具１は、図３に示すように錘部１０を手で握った状態から手を広げ、次いで素早く手で錘部１０を掴むという素早い動作を繰り返すことで鍛錬を図るものである。
【００１８】
握る動作があることから、当然物を握る力が鍛えられる。素早く掴む動作により前腕の筋肉が鍛えられ、物を保持する力が鍛えられる。素早く掴む動作には指先が使われることから物をつまむ力も鍛えられる。以上のように、本発明によれば一つの用具を用いて一つの訓練を行うことで、物を握る力、握った物を保持する力、指先で物をつまむ力といった握力の要素を同時に鍛錬することが可能となるのである。
【００１９】
台座部３０は握り損ねて錘部１０を落とした場合に、怪我や床の損傷を防ぐためのものである。すなわち、図３に示すように棒体２０を柱部４０の中に入れた状態でトレーニングを行えば、錘部１０を握り損ねても台座部３０で支持され、床等に落下することを防ぐことが可能となり、安全にトレーニングを行うことが可能となるのである。
【００２０】
なお、柱部４０の中には弾性体５０が備えてある。これにより、錘部１０の落下の衝撃を和らげることが可能となるのである。
【図面の簡単な説明】
【００２１】
【図１】本発明の構成図
【図２】本発明の斜視図
【図３】使用状態を示す説明図
【図４】請求項４における錘部の正面図
【図５】請求項５記載の錘部の使用状態説明図
【発明を実施するための形態】
【００２２】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００２３】
図１に示されるように、本発明にかかる握力鍛錬具１は、錘部１０、棒体２０、台座部３０及び柱部４０を主な構成要素とする。
【００２４】
錘部１０の下部には棒体２０が固定してある。固定方法は溶着、ネジ着その他任意の方法を採用できるが、重量のある錘部１０が外れないよう、強固なものとする必要がある。
【００２５】
また、錘部１０の形状は図１乃至図３に示すように球体、図４に示すようにリング状、図５に示すようにブロック状、その他指で掴める形状であれば任意の形状を採用できる。
【００２６】
錘部１０の素材は鉄やスチール等を使用可能であるが、トレーニング以外、例えばリハビリ等に使用するのであれば樹脂やゴム、スポンジ等でも構わない。
【００２７】
柱部４０は中空の棒であり、台座部３０に立設してある。柱部４０は棒体２０を挿入可能な形状に設けてある。柱部４０の中には弾性体５０としてバネが介在させてある。弾性体５０としてはバネ以外にもクッション材なども使用可能である。
【００２８】
台座部３０は図１乃至３では円盤形状であるが、むろんかかる限定を受けるものではなく、任意の形態を採用できる。ただし、重量のある錘部１０を支えるに足りる重量、面積を有する必要がある。
【符号の説明】
【００２９】
１０・・錘部
２０・・棒体
３０・・台座部
４０・・柱部
５０・・弾性体
【要約】      （修正有）【課題】物を握る力、握った物を保持する力、指先で物をつまむ力といった握力の要素を、一つの用具で同時に強化することが可能な握力鍛錬具を提供する。【解決手段】錘部１０を手で握った状態から手を広げ、次いで素早く手で錘部１０を掴むという素早い動作を繰り返すことで鍛錬を図る。握る動作があることから、当然物を握る力が鍛えられる。素早く掴む動作により前腕の筋肉が鍛えられ、物を保持する力が鍛えられる。素早く掴む動作には指先が使われることから物をつまむ力も鍛えられる。【選択図】図１【図１】
0005875728.tif 000002
【図２】
0005875728.tif 000003
【図３】
0005875728.tif 000004
【図４】
0005875728.tif 000005
【図５】
0005875728.tif 000006
(57)【特許請求の範囲】
【請求項１】
ガルバニ式酸素センサーの作用極において、中心部領域に複数の貫通孔を形成し、通気性隔膜に接する側の面に前記貫通孔を出発点とする外周方向に伸びる放射状の凹部が形成されているガルバニ式酸素センサーの作用極。
【発明の詳細な説明】
【技術分野】
【０００１】
本発明は、ガルバニ電池式酸素センサの作用極の構造に関する。
【背景技術】
【０００２】
ガルバニ電池式酸素センサは、AuやPt、Agなどの貴金属からなる作用極とPbからなる対極とが電解液槽に浸漬され、また作用極の外側の面には通気性の隔膜が密着し、酸素は隔膜を通過して作用極で還元され、同時に対極ではPbの酸化反応が進行する。
これにより、作用極と対極を抵抗体で接続するとこの抵抗体に酸素の濃度に比例した電圧が生じる。
【０００３】
しかしながら、空気中の炭酸ガスが電解液と
ＣＯ2＋２ＫＯＨ→Ｋ２ＣＯ3＋Ｈ2Ｏ
なる反応により炭酸塩（Ｋ２ＣＯ3）を発生させ、作用極と隔膜との間に堆積し、感度を低下させるという問題がある。
このような問題を解消するため、特許文献１に見られるように作用極と隔膜との一方の面に放射状の凸条や凹条を形成して、作用極と隔膜との間の電解液の流動性を改善することも考えられる。
【０００４】
しかしながら、上述のセンサは作用極の周縁が電解液に開放されているが、特許文献2に記載されたセンサのように作用極の周縁が閉鎖された構造のセンサにあってはいくら放射状の凸条や凹条を形成しても作用極と隔膜との間が電解液槽と連通していないため、作用極と隔膜との間に発生した炭酸塩を電解液槽に排出することが不可能である。
【先行技術文献】
【特許文献】
【０００５】
【特許文献１】実開昭59-21758号公報
【特許文献２】特開2002-55077号公報
【発明の概要】
【発明が解決しようとする課題】
【０００６】
本発明はこのような事情に鑑みてなされたものであってその目的とするところは、周縁が閉鎖された作用極であっても電解液の流動を促して作用極と隔膜との間から炭酸塩を電解液槽に排出できるセンサを提供することである。
【課題を解決するための手段】
【０００７】
このような課題を達成するために本発明においては、ガルバニ式酸素センサーの作用極において、中心部領域に複数の貫通孔を形成し、通気性隔膜に接する側の面に前記貫通孔を出発点とする外周方向に伸びる放射状の凹部が形成されている。
【発明の効果】
【０００８】
生成した炭酸塩の結晶は放射状の凹部を経由して開口から速やかに電解液槽に排出され、CO2の存在にかかわらず検出感度が維持される。
【図面の簡単な説明】
【０００９】
【図１】図（Ａ）及び（Ｂ）は、それぞれ本発明のガルバニ式酸素センサーの作用極の一実施例を示す平面図。
【図２】同上作用極をセンサとして組み込んだ時の断面構造を示す図
【図３】本発明の陰極と従来の陰極とによる感度回復の時間経過を示す線図。
【発明を実施するための形態】
【００１０】
図１（Ａ）、（Ｂ）はそれぞれ本発明のガルバニ式酸素センサーの作用極（陰極）の一実施例を示すものであり、また図２は同上作用極をセンサとして組み込んだ時の断面構造を示す図（なお、この図では作用極の構造を明瞭にするために隔膜を作用極から若干浮かせた状態で示されている。）であって、作用極１は特許文献２に記載されたセンサと同様に酸化作用を有する金属の中心領域に等間隔に複数個の貫通孔２が穿設され、これらの貫通孔２のそれぞれにはここを出発点とするように通気性隔膜３と接する側の面に外周方向に放射状に伸びる凹部４がエッチング等により形成されている。
【００１１】
なお、図中符号5は、中心に形成された貫通孔であり、また符号６は、作用極１をその周縁１ａで支持するセンサ構成部材の基部である。
【００１２】
この実施例によれば隔膜３を通過したCO2により隔膜３と作用極１との間に生成した炭酸塩は、凹部４を経由して貫通孔２に移動し、電解液槽に排出され電解液中に拡散する。
【００１３】
これにより、作用極１の周縁１ａが圧迫されたり、また周縁１ａが樹脂に埋め込まれたりして作用極１の周縁部１ａが電解液槽に連通していないセンサであっても、測定環境中のCO2の濃度のいかんに関わりなく目的ガスを長期間にわたって正確に測定することができる。
【００１４】
図３は一定濃度のCO2を含む環境中に所定時間放置した後の目的ガスの検出感度の経過を示すもので、図３において符号Ａ，Ｃは大気に接触させ場合の、また符号Ｂは濃度５％のCO2、濃度20％のO2、及び濃度75％のN2との混合ガスに7日間連続して接触させた場合の本発明のセンサ（図中、実線）と、従来のセンサ（図中、点線）との指示値の変化を示すものである。
【００１５】
この図からも本発明の作用極を用いて酸素センサを構成すると、短時間で酸素濃度に一致した指示値を提示するのに対して、従来の作用極により構成された酸素センサでは混合ガス中のCO2の影響により長時間にわたって指示値が徐々に変化するとともに実際のO2の濃度よりも低い濃度を提示することになる。
これから本願発明が有用であることがわかる。
【００１６】
なお、上述の実施例においては周縁部が閉塞された作用極に例をとって説明したが、周縁部が開放されている形式のものに適用するとさらに効果があることは明らかである。
【符号の説明】
【００１７】
１  作用極    ２、４  貫通孔    ３  隔膜    ４  凹部
【図１】
0005875383.tif 000002
【図２】
0005875383.tif 000003
【図３】
0005875383.tif 000004
(57)【特許請求の範囲】
【請求項１】
基台と、基台上に固定された一対の作動部固定部と、前記２つの作動部固定部に回動可能に支持されたハンドルと、ハンドルの回動に伴い進退する２つの穿孔刃とを有する２穴パンチ具であって、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しく、ハンドルの先端に続く部分（３ａ）と前記部分（３ａ）に続くより支点に近い部分（３ｂ）とは異なる平面にあり、前記ハンドルの先端に続く部分（３ａ）と前記支点に近い部分（３ｂ）とは上方向に凸につながっており、前記支点に近い部分（３ｂ）はさらに支点に近い部分と下方向に凸につながっており、ハンドルの押下開始時には前記ハンドルの先端に続く部分（３ａ）が水平に近く、ハンドルの押下完了時には前記支点に近い部分（３ｂ）が水平に近くなり、押下開始時には主として前記ハンドルの先端に続く部分（３ａ）に力を加え、次いで、前記ハンドルの先端に続く部分（３ａ）と前記支点に近い部分（３ｂ）に力を加え、押下完了時には主として前記支点に近い部分（３ｂ）に力を加えることを特徴とする２穴パンチ具。
【発明の詳細な説明】
【技術分野】
【０００１】
この発明は、コンパクトであって、小さい押下力に比較して大きな穿孔能力を持つ２穴パンチ具に関する。
【背景技術】
【０００２】
従来の小型の２穴パンチ具は、同じ押下力に対して大きな穿孔能力を持たせるためには、ハンドルの回転角度はほとんど変えることはしないで、支点とハンドルの先端の距離を長くすることによって、押下部の移動距離を長くしている。このため、結果として２穴パンチ具を大型化している。
【発明の概要】
【発明が解決しようとする課題】
【０００３】
この発明は、コンパクトであって、小さい押下力に比較して大きな穿孔能力を持つ２穴パンチ具を実現することを課題とする。
【課題を解決するための手段】
【０００４】
本発明の２穴パンチ具は、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しく、ハンドルの先端に続く部分（３ａ）と前記部分（３ａ）に続くより支点に近い部分（３ｂ）とは異なる平面にあり、前記ハンドルの先端に続く部分（３ａ）と前記支点に近い部分（３ｂ）とは上方向に凸につながっており、前記支点に近い部分（３ｂ）はさらに支点に近い部分と下方向に凸につながっており、ハンドルの押下開始時には前記ハンドルの先端に続く部分（３ａ）が水平に近く、ハンドルの押下完了時には前記支点に近い部分（３ｂ）が水平に近くなり、押下開始時には主として前記ハンドルの先端に続く部分（３ａ）に力を加え、次いで、前記ハンドルの先端に続く部分（３ａ）と前記支点に近い部分（３ｂ）に力を加え、押下完了時には主として前記支点に近い部分（３ｂ）に力を加える構成とした。
【発明の効果】
【０００５】
従来の小型の２穴パンチ具は、ハンドルの押下完了時にハンドルの支点とハンドルの先端を結ぶ直線は水平に近く、水平よりも下方まで回転するものでも、ハンドルの支点とハンドルの先端を結ぶ直線が水平面となす角度は、押下開始時にハンドルの支点とハンドルの先端を結ぶ直線が水平面となす角度よりは小さい。
【０００６】
本発明の２穴パンチ具は、ハンドルの回転角度を下方に広げてハンドルの先端の移動距離が長くなっており、押下力と穿孔刃の移動距離が同じであれば、同じ大きさのハンドルを有し、ハンドルの回転角度が従来のものである２穴パンチ具より大きな穿孔能力を持っている。
【０００７】
ハンドルの回転角度を下方に広げた場合、ハンドルの押下面が１つの平面で構成されていれば、ハンドルの押下完了時にハンドルが下方に急傾斜となり、ハンドルを押す手が滑りやすくなることが考えられるが、本発明の２穴パンチ具は、ハンドルの押下面を角度をつけた二つの平面で構成しており、ハンドルの押下開始から押下完了までの間に手で力を加える部分が移動し、常に概ね水平に近い面を押下することになり、手が滑りにくい。
【図面の簡単な説明】
【０００８】
【図１】本発明の２穴パンチ具の実施例の斜視図である。
【図２】本発明の２穴パンチ具の実施例のハンドルの押下開始時の側面透視図である。
【図３】本発明の２穴パンチ具の実施例のハンドルの押下完了時の側面透視図である。
【発明を実施するための形態】
【０００９】
以下、本発明の実施の形態を図１、図２、図３に基づいて説明する。
【００１０】
本発明の２穴パンチ具は、支点ピンの位置を同サイズのハンドル及び基台を有する２穴パンチよりも高く、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しくなるような高さとする。
【００１１】
先端押下部３ａと中央寄り押下部３ｂとは上方向に凸につながり、中央寄り押下部３ｂとそのさらに支点に近い部分とは下方向に凸につながるようにする。
【００１２】
押下開始時には主として先端押下部３ａに力を加えるが、先端押下部３ａは押下開始時にはハンドルの先端の側が水平より少し高い位置にあるが、押下を続けると先端押下部３ａは水平になり、さらに押下を続けるとハンドルの先端の側が水平より低くなるが、中央寄り押下部３ｂが水平に近くなり、この時点では先端押下部３ａと中央寄り押下部３ｂに力を加えることになる。さらに押下を続けると、中央寄り押下部３ｂは水平になり、この時点では主として中央寄り押下部３ｂに力を加えることになる。さらに押下を続けて押下完了時には中央寄り押下部３ｂはハンドルの先端に近い側が水平より少し低い位置にあるがその傾斜は緩く手が滑るほどのものではない。
【００１３】
中央寄り押下部３ｂを押下するときには、ハンドルの支点と押下部との距離が短くなり、穿孔刃に加わる力が少なくなるが、中央寄り押下部３ｂを押下する時点では書類の穿孔で最大の力を必要とする時点はすでに過ぎており、実用上問題はない。
【符号の説明】
【００１４】
１    基台
２    作動部固定部
３    ハンドル
３ａ  先端押下部
３ｂ  中央寄り押下部
４    支点ピン
５    押しピン
６    穿孔刃
７    穿孔刃ガイド
８    バネ
９    穿孔孔
１０  パンチ屑溜めカバー
【図１】
0005875490.tif 000002
【図２】
0005875490.tif 000003
【図３】
0005875490.tif 000004
(57)【特許請求の範囲】
【請求項１】
酵素温熱風呂において、風呂槽の上面に通気性を有する架台を置き、該架台を寝台に供するとしたこと、を特徴とする酵素温熱風呂。
【発明の詳細な説明】
【技術分野】
【０００１】
本願発明は、酵素の自然発酵熱を利用した酵素温熱風呂（以下適宜「温熱風呂」と略称する。）に関する。
【背景技術】
【０００２】
酵素を利用した温熱風呂に関しては、温床を構成する粉末状の浴剤の主成分として、おが屑またはおよび米糠等を利用したものが、健康維持・疲労回復・美容効果を目的として、巷間でかなり広く実用に供されている。
以下において、風呂槽の中に収納された浴剤の集合であって自然発酵によって熱を放出する集合を、適宜「温床」という。
【０００３】
しかし、巷間で実用に供されている温熱風呂は、温床に身体を埋める形式のものであって、その結果、入浴後身体から浴剤を洗い流す設備が必要であり、さらに、洗い流された浴剤の処理施設が別途必要とされる場合もあって、簡易な設置とは言えない。
【０００４】
或るとき、数匹の愛玩動物を連れてきて愛玩動物に温熱風呂を利用させ、風呂槽傍で読書していた女性が、愛玩動物の快癒の嬉しさ以上に、生き生きとした表情になっていることに出願人は気付いた。
【０００５】
出願人は、何かあるのではないか、温床の酵素に直接肌を触れさせなくても温床の酵素からあるいは温床中の微生物から何か波動熱のようなものが放射されているのではないか、と考え、風呂槽の上面に架台を設け横たわって試行してみたところ、熟睡はできるし、従来の身体を埋める形式の温熱風呂と同様な効果があることに気付いた。
知人に試してもらったが、同様の効果があった。
【０００６】
その結果、効率性の良い温熱風呂の場合には、温床に身体を埋めなくても、入浴時間を適宜長くすることによって、温床に身体を埋める形式と遜色の無い効果が得られることを、出願人が知見するに至った。
【先行技術文献】
【特許文献】
【０００７】
【特許文献１】特許情報プラットフォームのテキスト検索（公開特許公報）で、以下の条件で検索したが、該当すると思料できるものはありません。                                  「ＩＰＣ」            「Ａ６１Ｈ３３／０４」                        ＡＮＤ  「要約と請求の範囲」  「酵素」                                    発見された件数は、４件
【発明の概要】
【発明が解決しようとする課題】
【０００８】
本願発明は、上記のような事情のもとで考えだされた酵素温熱風呂に関するもので、入浴後身体から浴剤を洗い流す設備を必要としない、さらに、メンテナンスの簡単・容易な、かつ、狭い場所にも設置可能な簡便な酵素温熱風呂を提供する。
【課題を解決するための手段】
【０００９】
このため、本願発明では、風呂槽の上面に通気性を有する架台、その上に敷板・敷物を置き、それを寝台として、着衣の有無を問わず、利用可能な酵素温熱風呂とした。
【００１０】
風呂槽を少々強固にし、温床と架台間の間隔を 15cm 程度以下となるようにした。
【発明の効果】
【００１１】
入浴後身体から浴剤を洗い流す設備を必要としないため、狭い場所でも簡易に設置が可能である。
【００１２】
身体から洗い流された浴剤を処理する設備が不要となる。
【００１３】
身体を温床に埋める必要が無いことから、温床の撹拌等の回数は激減し、メンテナンスが格段に簡略される。
【００１４】
入浴時間を適宜長くすることによって、温床に身体を埋める形式の酵素温熱風呂と遜色の無い効果が得られる。
【００１５】
入浴時間を長くしても、酵素温熱風呂は追加のエネルギーは殆ど不要であるから、環境に優しいエコロジーな設備である。
【図面の簡単な説明】
【００１６】
【図１】本願発明の利用状況を示す酵素温熱風呂の断面図である。
【発明を実施するための形態】
【００１７】
酵素温熱風呂の風呂槽としては、通常、幅 150cm、長さ 250cm、深さ 130cm 程度の槽が用いられる。
【００１８】
酵素温熱風呂の温床を十分に撹拌した後、酵素温熱風呂の風呂槽の上縁と温床との高さの差が、15cm 程度以下になるように、また、温床と架台との間に同程度の間隙が確保出来るように、温床を調整する。
【００１９】
酵素温熱風呂の風呂槽の上面に通気性を有する架台４０を水平に架設する。
架台は、通常は木の角材を使用した格子状のスノコが用いられる。
角材の断面形状および配列のピッチは、風呂槽の幅・長さによって選択されるが、通常は4.5cm角程度の角材が 30cm 程度のピッチで縦横に配列される。図１では、縦横の角材が同一レベルになっているように描いてあるが、縦材の上に横材を載せる形式でも良いし、その逆でも良い。
もっとも、木材のような天然材の代わりに、人工の素材を用いてもよい。
【００２０】
架台４０の上面には、厚さ 1cm・板幅 4cm 程度の板状の敷板５０が、ピッチ 10cm 程度で並べられる。
勿論、他の方式の敷板、例えば開孔のある面状の素材、を敷き詰めても良い。
素材も、木材のような天然材の代わりに、人工の素材を用いてもよい。
【００２１】
さらに、その上面に通気性の良いクッション性のある敷物、例えば薄い布団・毛布、さらに必要に応じ、取替えが容易な不織布等が利用される（図面省略）。
敷物は敷板５０の上面を全面的を覆う物でも、あるいは部分的に覆う物でもよい。
【００２２】
利用時間は長く、通常８時間程度であり、利用者は熟睡する人が多い。
【産業上の利用可能性】
【００２３】
酵素温熱風呂は、健康維持・疲労回復・美容効果を目的として、巷間でかなり広く実用に供されていることから、その簡便性を高めることは、健康産業において一層利用性を高めるものである。
【符号の説明】
【００２４】
１０    風呂槽
４０    架台
５０    敷板
【要約】
【課題】
酵素温熱風呂利用後、身体から浴剤を洗い流す設備を必要としない、さらに、メンテナンスの簡単・容易な、かつ、狭い場所にも設置可能な簡便な酵素温熱風呂を提供する。
【解決手段】
酵素温熱風呂槽の上面に通気性を有する架台を置き、温床と架台間の間隔を 15cm 程度以下となるようにし、架台の上に敷板を間隔をあけて敷き、さらにその上に通気性の良いクッション性のある敷物をおいて、寝台とし、着衣の有無を問わず、利用可能な酵素温熱風呂とした。
【選択図】    図１【図１】
0005967686.tif 000002
(57)【特許請求の範囲】
【請求項１】
木、プラスチック、焼物、ゴム、硝子又は金属の硬質材を主な素材として、魚の形状をした鯉のぼりの胴部の両脇に軸（６）を介して羽根（２）を回転可能に装着し、鯉のぼり本体（１）を支柱（５）に取り付けたことを特徴とする羽根付き鯉のぼり。
【発明の詳細な説明】
【技術分野】
【０００１】  この発明は、鯉のぼりの鯉に羽根を設けた鯉のぼりに関するものである。
【背景技術】
【０００２】  従来、鯉のぼりの鯉は布製で作られ、風が口に入って胴体が膨らみ胴体がくねることによって、鯉が空を泳いでいるように作られていた。
【先行技術文献】
【発明の概要】
【発明が解決しようとする課題】
【０００４】  これは、次のような欠点があった。
鯉のぼりの鯉は布製であるので、雨天時は室内に取り入れなければならなかったし、大きな鯉のぼりを揚げることには、広い場所と大変な労力と時間が必要であった。しかし、団地サイズのような小さな鯉のぼりは、小魚と揶揄されるように迫力に欠けていた。
また、従来の鯉のぼりが泳ぐ様は、伝統的ではあるが和風的な古さや地味な感覚があった。
本発明は、以上のような欠点をなくすためになされたものである。
【課題を解決するための手段】
【０００５】  木、プラスチック、焼物、ゴム、硝子又は金属の硬質材を主な素材として、魚の形状をした鯉のぼりの胴部の両脇に軸（６）を介して羽根（２）を回転可能に装着し、鯉のぼり本体（１）を支柱（５）に取り付ける。
本発明は、以上の構成よりなる羽根付き鯉のぼりである。
【発明の効果】
【０００６】  本案は、硬質材を主な素材とするため雨天時でも室内に取り込む必要はなく、鯉の全長も短いため広い場所や労力と時間をかけなくても揚げることができる。また、風が吹かなくても支柱に垂れ下がることがないため、小魚をイメージすることはない。
さらに、羽根が回転すると水しぶきが上がり鯉が勢いよく泳いでいる姿を想像させるので、和風的な古さや地味なイメージを払拭できる。
【図面の簡単な説明】
【０００７】
【図１】本発明を支柱に取り付けた図である。
【図２】本発明の取り付け状態の一例を示した図である。
【図３】本発明の一例を示した斜視図である。
【発明を実施するための形態】
【０００８】  以下、本発明を実施するための最良の形態について説明する。
図面１のように硬質材を主な素材として、魚の形状をした鯉のぼりの胴体の両脇に軸（６）を介して羽根（２）を回転可能に装着し、鯉のぼり本体（１）腹部を支柱（５）に取り付ける。また、図面２のように鯉のぼり本体（１）口部を支柱（５）に取り付けてもよい。
なお、魚の形状に人間、動物や植物の形状を付け加えてもよい。
本発明は、以上のような構造である。
これを使用するときは、庭やベランダ等の屋外等に支柱を固定して設置する。
【符号の説明】
【０００９】  １  鯉のぼり本体
２  羽根
３  車輪型風車
４  球型風車
５  支柱
６  軸
【図１】
0005967412.tif 000002
【図２】
0005967412.tif 000003
【図３】
0005967412.tif 000004